(57)【特許請求の範囲】
【請求項１】
略矩形状の外装材であって、化粧面にはボーダー調凸部を複数本配置し、このボーダー調凸部は平滑な頂面を有し、外装材長手方向に連続しており、各ボーダー調凸部の頂面は場所により傾斜を有しており、この傾斜は外装材長手方向において傾斜角度と傾斜方向が漸移し切り替わるものであり、さらに、各ボーダー調凸部は外装材短手方向に緩やかなうねりと緩やかなねじれが連続して続いており、この緩やかなうねりと緩やかなねじれ形状は各ボーダー調凸部において一定ではなくランダムなうねりと緩やかなねじれ形状となっていることを特徴とする外装材。
【発明の詳細な説明】
【技術分野】
【０００１】
本発明は建築、構築物の外装を形成する外装材に関するものである。
【背景技術】
【０００２】
一般に、板材をロール成形、プレス成形等して加工し、化粧面に凹凸を形成した外装材は数多く上市されている。（例えば、特許文献１〜２参照）。
【先行技術文献】
【特許文献】
【０００３】
【特許文献１】特開２００２−２３５４２３号公報
【特許文献２】特開２００９−１６７７７５号公報
【発明の概要】
【発明が解決しようとする課題】
【０００４】
特許文献１は「壁材」に係り、凸部領域の表面に少なくとも４方向の略平行凹凸縞模様を形設して、光源の位置の変化、見る方向の変化によって、色調、色の濃淡が多様に変化するものが記載されている。また、特許文献２は「エンボス加工金属製外壁材」に係り、頂面に対して斜平面の位置が互いに異なる区画面を、それぞれ交互に長手方向に隣接する、装飾面を形成するものである。
【０００５】
このように、外装材の表面意匠にかけられる製造コストや材料の特性といった制限がある中で、表面にエンボス加工やプレス加工等で光の陰影や視覚効果等を利用するような柄を付け、外装材の意匠性の向上を目指している先行技術がある。しかしながら、特許文献１は、画一化された光りの反射を利用しただけのものであり、単調な外観の繰り返しとなってしまうことが考えられる。また、特許文献２についても、区画面に形成された斜平面の位置が長手方向に沿って上、下、上、下、・・・のように交互に繰り返されるだけでは、やや単調な外観となってしまうことが考えられる。
【課題を解決するための手段】
【０００６】
本発明はこのような課題を解決するために、略矩形状の外装材であって、化粧面にはボーダー調凸部を複数本配置し、このボーダー調凸部は平滑な頂面を有し、外装材長手方向に連続しており、各ボーダー調凸部の頂面は場所により傾斜を有しており、この傾斜は外装材長手方向において傾斜角度と傾斜方向が漸移し切り替わるものであり、さらに、各ボーダー調凸部は外装材短手方向に緩やかなうねりと緩やかなねじれが連続して続いており、この緩やかなうねりと緩やかなねじれ形状は各ボーダー調凸部において一定ではなくランダムなうねりと緩やかなねじれ形状となっている外装材を提供するものである。
【発明の効果】
【０００７】
本発明に係る外装材によれば、光の当たる角度や見る角度によって陰影感が漸移的に異なるという効果が得られ、不規則で自然な外観が演出され、外観の単調さが解消される。
【図面の簡単な説明】
【０００８】
【図１】本発明に係る外装材の例を示す断面図である。（化粧面は簡略化）
【図２】本発明に係る外装材の施工状態の例を示す断面図である。（化粧面は簡略化）
【図３】本発明に係る外装材の化粧面の例を示す正面図である。
【図４】本発明に係る外装材の例を示す部分拡大参考斜視図である。
【図５】本発明に係る外装材のボーダー調凸部の例を示す参考模式図である。
【図６】本発明に係る外装材を上下に施工したものを正面から見た例を示す参考図である。
【発明を実施するための形態】
【実施例】
【０００９】
以下に図面を用いて、本発明に係る外装材Ａの一実施例について説明する。例えば、外装材Ａは図１に示すように、表面材１と裏面材２と合成樹脂発泡体からなる芯材３をサンドイッチしたもので、一端に雄型連結部４を、他端に雌型連結部５を形成したものである。ちなみに、外装材Ａは上記のような構成に限定されるものではなく、金属系や窯業系や樹脂系等の板材単体であってもよい。なお、この図１は、化粧面６の形状を考慮せずに簡略化して表した図になっている。
【００１０】
また、図２は外装材Ａの施工状態を示す断面図であり、αは下地材、βは固定具である。なお、この図２は、化粧面６の形状を考慮せずに簡略化して表した図になっている。
【００１１】
表面材１は例えば、鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）等の金属薄板からなり、それをロール成形、エンボスロール成形、プレス成形、等の各種方法で成形したものである。（勿論、これらを各種色調に塗装したカラー板を含む）。
【００１２】
裏面材２は例えば、アルミニウム蒸着紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものである。
【００１３】
芯材３は例えば、ポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、表面材１、もしくは裏面材２の裏面側に吐出し、加熱して反応・発泡・硬化させて表面材１と裏面材２を一体に形成するものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。
【００１４】
化粧面６には例えば、図３、図４に示すようにボーダー調凸部Ｂを複数本配置してある。このボーダー調凸部Ｂは図３に示すように、平滑な頂面を有し、外装材Ａ長手方向に連続しており、かつ、外装材Ａ短手方向に緩やかうねりを描いている。この緩やかなうねり形状は、それぞれのボーダー調凸部Ｂにおいて一定ではなくランダムなうねり形状となっている。
【００１５】
また、図４に示すように、ボーダー調凸部Ｂの頂面は場所により傾斜を有しており、この傾斜は外装材Ａ長手方向において傾斜角度と傾斜方向が漸移し切り替わるものである。ここで言う傾斜とはボーダー調凸部Ｂの頂面が外装材Ａの裏面側に向けて落ち傾いていること（傾斜の下方向）及び外装材Ａの表面前方側に出て傾いていること（傾斜の上方向）を言う。その結果ボーダー調凸部Ｂは、緩やかなねじれが連続して続いていくような形状を呈している。この緩やかなねじれ形状は、それぞれのボーダー調凸部Ｂにおいて一定ではなくランダムなねじれ形状となっている。図５に、ボーダー調凸部Ｂのねじれ形状の例を表す参考模式図を示す。
【００１６】
さらに、図３のボーダー調凸部Ｂに示すように、場合によっては、ボーダー調凸部Ｂの外装材Ａ短手方向の太さを一定とせずに、外装材Ａ長手方向において漸移的に変化するような箇所を設けても良い。
【００１７】
これら段落番号「００１４」「００１５」、また場合によっては「００１６」に記載した事柄により、ボーダー調凸部Ｂの凹凸感と傾斜感と光の陰影は外装材Ａ長手方向で漸移的に変化する。
【００１８】
その他、例えば、ボーダー調凸部Ｂ間の表面には柄を付けてもよい。そうすることで、ボーダー調凸部Ｂの平滑な頂面と柄のついたボーダー調凸部Ｂ間との違いを際立たせることもできる。例えば、今回の実施例では、ボーダー調凸部Ｂ間は柄の無いものと砂粒柄Ｓを施したものを混在させている。
【００１９】
これら段落「００１４」「００１５」「００１７」、また場合によっては「００１８」に記載したような事柄によって、外装材Ａの意匠に深みと不規則性が出て、外観の単調さの解消を図ることができる。
【００２０】
また、例えば図２、図４に示すように、化粧面６には、施工によってできる施工目地Ｃと形状を似せたダミー目地Ｄを設けることが好ましい。これにより施工目地Ｃが目立たなくなり、外装材Ａを施工したときに、上下に隣接する外装材Ａ同士の壁面としての一体感を高めることができる。
【００２１】
なお、図６は、外装材Ａを上下に４枚施工したものを正面から見た例を示す参考図である。
【符号の説明】
【００２２】
α  下地材
β  固定具
Ａ  外装材
Ｂ  ボーダー調凸部
Ｃ  施工目地
Ｄ  ダミー目地
Ｓ  砂粒柄
１  表面材
２  裏面材
３  芯材
４  雄型連結部
５  雌型連結部
６  化粧面
【図１】
0006787678.tif 000002
【図２】
0006787678.tif 000003
【図３】
0006787678.tif 000004
【図４】
0006787678.tif 000005
【図５】
0006787678.tif 000006
【図６】
0006787678.tif 000007